(57)【要約】【課題】光ディスクに、光ピックアップ動作可否判別機能を付加する。また所定の領域に清掃部材を設ける。【解決手段】デジタル信号１を記録した光ディスク２演奏面内周に、レーザービーム３の集光、読み出しを、一切干渉しない基準反射率を満たす反射膜でピットを形成した領域４を設け、この外周のクリーニング領域５に清掃部材６を設け、この領域外を複数に分割し、内側及び外側それぞれ基準値を下回る反射膜でピットを形成した領域７及び８を設け構成した。【選択図】        図４
2005011479.tif 000002
【特許請求の範囲】
【請求項１】
光ピックアップの機能状態をチェックするに適した信号を記録してある光ディスクにあって、光ピックアップのレーザービームによるピット情報読み取り時に光ピックアップのレーザービームの反射が不十分になるよう、敢えて該光ディスクのピット面の反射率が基準値以下になるような反射膜を設けたことを特長とする光ピックアップ機能正常可否判別ディスク。
【請求項２】
光ピックアップの動作状態をチェックする機能を持った光りディスクに、光ピックアップ対物レンズを清掃するための清掃部材を、光ピックアップ対物レンズの対面部へ設けたことを特長とする請求項１記載の光ピックアップ機能正常可否判別ディスク。
【請求項３】
該光ディスクには、チェックに適した信号を所定の領域に分けて記録し、その一部領域には光ピックアップのレーザービームによるピット情報読み取りに一切支障をきたさない基準反射率の反射膜でピットを形成し、他の一部領域は基準値を下回る反射膜でピットを形成し、又複数の領域の場合には該領域毎に段階的に基準値を下回る反射膜でピットを形成したことを特長とする請求項１及び請求項２記載の光ピックアップ機能正常可否判別機能ディスク。
【請求項４】
光ディスクには機能チェックに適した信号を、同一領域に連続して記録してあり、この機能チェック用データの記録された領域内のスタート地点には、光ピックアップのレーザービームによるピット情報の読み取りに一切支障きたさない基準反射率の反射膜でピットを形成し、終了地点までの間においては、光ピックアップのレーザービームによるピット情報の読み取りに支障をきたすよう反射率を徐々に下回る反射膜でピットを形成したことを特長とする請求項１〜請求項３記載の光ピックアップ機能正常可否判別機能ディスク。
【請求項５】
光ディスク再生装置で光ピックアップの機能チェックに適した信号と、ピットの反射率に高低をを付加した光ディスクを再生することにより、光ピックアップのレーザービームによるピット情報の読み取りに一切支障をきたさない基準反射率の反射膜でピットを形成した領域はもとより、基準値より反射率を若干下回るピットを形成した領域でも正確に再生できれば、その光ピックアップのピット情報読み取り機能は正常とあると判断でき、光ピックアップのレーザービームによるピット情報の読み取りに一切支障をきたさない基準反射率の反射膜でピットを形成した領域内で再生が不正確であれば、光ピックアップのピックアップのピット情報読み取り機能は本来の基準を満たしていないと判断できるように構成したことを特長とする請求項１〜請求項４記載の光ピックアップ機能正常可否判別機能ディスク。
【発明の詳細な説明】
【０００１】
【発明の属する技術分野】
本発明は、光ピックアップの動作状態のチェック、及び対物レンズ面のクリーニングに関するものであが、光再生装置の不具合の様々な要因のうち、使用年数、使用環境によって左右されるものの、大多数の場合３年以上経過した再生装置の多くでピックアップの汚れ以上に、光ピックアップ自体の故障が再生不良の主たる原因であることが判明しており、このピックアップの不具合がレンズの汚れによるものか、ピックアップ自体の不具合が原因かを簡単に判別する手段を提供するものである。
【０００２】
【従来の技術】
情報の記録再生に光学的な手段を使用するディスク状記録媒体としては、光ディスク及び光磁気ディスク等が知られている。これらディスク状記録媒体は、デジタルの音楽メデアとしてＣＤ  ＭＤ、コンピュータ用の記憶メデアとしてＣＤ−ＲＯＭ、次世代映像メデアとしてＤＶＤ、等に利用されている。
この場合のソフトの再生又は読み取りは光ピックアップ装置で行われている。光ピックアップ装置のレーザーの入出力には、該光ピックアップに設けられた対物レンズを使用しており該光ピックアップ対物レンズに付着した小さなゴミ、ホコリ等を取り除くため、光ピックアップ対物レンズに対面する光ディスク面に清掃部材を取り付け光ピックアップ装置でプレーすることによってクリーニングができるように構成されている。しかし光ピックアップ装置の動作状態が劣化し再生機能が低下した該ピックアップ装置のチェック方法が付加された光ディスクはない。
【０００３】
【発明が解決しようとする課題】
光ピックアップ対物レンズをディスクに配置した清掃部材でクリーニングする場合、回転動作により行われ、該清掃部材が光ピックアップ対物レンズのクリーニングを行いゴミ、ホコリ等は除去できる。
【０００４】
しかし光ピックアップの動作状態が劣化してくるとデフォーカス現象の発生又、レーザー半導体の劣化によるレーザービームのパワーの低下等の不具合が生じ、光ピックアップ装置の誤り訂正等の補正回路の動作が正常に行われにくくなり、最悪の場合ドロップアウト現象が頻発し再生不能となる。
【０００５】
【課題を解決する手段】
本発明は、光ピックアップ対物レンズに対面する光ディスクに光ピックアップの機能の動作状態をチェックするデジタル信号を記録し、レーザービームの集光、読み出しを一切干渉しない基準反射率を満たした反射膜にピットを形成した領域の他、復数の領域、或いは一つの領域で連続的に任意に設定した量しか反射しない反射膜にピットを形成し反射率を変えた領域で構成されている。又演奏面の所定の箇所に清掃部材を取り付けることにより、光ピックアップ対物レンズのクリーニングもできる。
【０００６】
前記信号を記録したピットは、従来より一般的に用いられている製作方法に基づきスタンパによりプラスチックで成形され、該プラスチックにはレーザービームを反射させるため、例えばアルミ等の金属膜が蒸着形成されるが、反射率低減領域の反射率を低下させるための、該金属膜の反射率の調整は、材料の種類を替える等の方法により行い、領域毎の区分はマスキング等の方法により形成する。
【０００７】
【発明の実施と形態】
本発明は、光ピックアップの動作状態をチェックするデジタル信号を記録した光ディスクには前記の通りレーザービームの集光、読み出しを一切干渉のない基準反射率を満たす反射膜でピットを形成した領域と、基準値より反射率を下回る反射膜でピットを形成した領域で構成されているが、当該領域は光ピックアップ装置の再生基準を最低限再生可能な範囲内の反射率を維持している。
【０００８】
該光ディスクは、光ピックアップの動作状態をチェックするデジタル信号（音楽データ）、例えば動作状態をチェックする領域を複数に分けて、内周よりそれぞれの領域毎に同じ内容の信号を用い、内周より一切干渉のない基準反射率を満す反射膜でピットを形成した領域を、その外周にはクリーニング部材を設けた領域を、以降外周にはレーザービームの集光、読み出しの反射率が下回る反射膜で、領域毎に該反射膜の反射率を変えたピットを形成し、光ピックアップの、各領域における動作状態で、該光ピックアップの性能を判断する。
【０００９】
【実施例】
本発明の実施例を図１〜図５に依って説明する。
光ピックアップの動作状態をチェックするに適したデジタル信号１（音楽、データ）を記録した光ディスク２は光ピックアップと対面する内周にレーザービーム３の集光、読み出しを、一切干渉しない基準反射率を満たす反射膜でピットを形成した領域４を設け、この外周のクリーニング領域５に清掃部材６を取り付け、この領域外を複数に分割し、この内側をレーザービームの集光、読み出しの反射率が基準値より段階的に下回る反射膜でピットを形成した領域７及び外側の領域８を構成している。
【００１０】
又、前記した通り反射率を下回る反射膜でピット形成した領域７及び８の、レーザービームの集光、読み出は、ピックアップ装置の再生基準を最低限再生可能な範囲内で構成している。
【００１１】
また本発明の、反射率が基準値より徐々に下回るようにグラデーション方式を利用した反射膜でピット９を形成し、光ピックアップの動作チェックを行う事も可能にしている。
【００１２】
【作用】
本発明の実施例の作用の一例を図４で説明する。
光ディスク再生装置の光ピックアップ動作チェック基準は一切干渉のない基準反射率を満たす反射膜でピットを形成した領域４で正しく再生できない再生装置は、光ピックアップの不具合が考えられ、基準値より反射率が下回る反射膜でピットを形成した領域７で再生できれば、光ピックアップの状態は良好、また反射率が領域７より下回る反射膜でピットを形成した領域８で再生できれば非常に良好と判断できる。
【００１３】
又、前記した反射率を低下させた各反射膜でピットを形成した領域７、８で正しく再生ができない場合、光ピックアップ対物レンズをクリーニング領域５に取り付けた清掃部材６でクリーニングを行い、その後前記各領域７、８が正しく再生できれば、光ピックアップの対物レンズの汚れが原因であると判断できる。
【００１４】
【発明の効果】
本発明は以上説明したような形態で実施され、以下に記載されるような効果を奏する。
【００１５】
光ピックアップ対物レンズのクリーニングが容易にできる。
【００１６】
光ピックアップの動作状態が、反射率を基準値より下回る反射膜でピットを形成した領域で動作させることにより、その可否が容易に判別ができると共にクリーナーを連動したことにより、より正確な光ピックアップの動作可否の判別ができる。
【図面の簡単な説明】
【図１】本発明の各領域組合せの実施例を示す平面図である。
【図２】本発明の各領域組合せの実施例を示す平面図である。
【図３】本発明の各領域組合せの実施例を示す平面図である。
【図４】本発明の各領域組合せの実施例を示す部分縦断面図である。
【図５】本発明の各領域組合せの実施例を示す部分縦断面図である。
【符号の説明】
１    ：デジタル信号
２    ：光ピックアップ清掃ディスク
３    ：レーザービーム
４    ：基準反射率を満たす反射膜でピットを形成した領域
５    ：クリーニング領域
６    ：清掃部材
７    ：基準値より下回る反射膜でピットを形成した領域
８    ：領域７より下回る反射膜でピットを形成した領域
９    ：グラデーション方式による反射膜でピットを形成した領域
【図１】
2005011479.tif 000003
【図２】
2005011479.tif 000004
【図３】
2005011479.tif 000005
【図４】
2005011479.tif 000006
【図５】
2005011479.tif 000007